(57)【要約】      （修正有）【課題】光源部が複数の空冷ファンにより冷却される照明器具の信頼性を向上する。【解決手段】照明器具において、筐体と、第１空冷ファン４１及び第２空冷ファン４２と、筐体に接合された基部３１１と当該基部から筐体１０内部に突設した放熱フィン３１２を有するヒートシンク３１と、ヒートシンク３１の基部３１１に熱結合され筐体外方に向けて光を発する発光素子２１２ａを有する発光モジュール２１とを備え、筐体には、ヒートシンク３１の放熱フィン３１２近傍に第１開口が開設され、かつ放熱フィン３１２を挟んだ第1開口の反対側には、第１空冷ファン４１が取着された第２開口１２１ａ１と第２空冷ファン４３が取着された第３開口１２１ａ３とが各々開設されており、第１空冷ファン４１及び第２空冷ファン４３は吹き出し方向を前記筐体外方へ向けている。【選択図】図３
2015065026.tif 000002
【特許請求の範囲】
【請求項１】
筐体と、
第１空冷ファン及び第２空冷ファンと、
前記筐体に接合された基部と当該基部から前記筐体内部に突設した放熱フィンを有するヒートシンクと、
前記ヒートシンクの基部に熱結合され前記筐体外方に向けて光を発する発光素子を有する発光モジュールと、
を備え、
前記筐体には、前記ヒートシンクの放熱フィン近傍に第１開口が開設と、前記放熱フィンを挟んだ前記第1開口の反対側には第２開口と第３開口とが各々開設されており、
前記第１空冷ファン及び前記第２空冷ファンは、前記第１開口、第２開口及び第３開口から選択される２つの開口に、吹き出し方向を前記筐体外方へ向けて各々取着されている、
照明器具。
【請求項２】
前記第１空冷ファンは第２開口に取着され、
前記第２空冷ファンは第３開口に取着されている
請求項１に記載の照明器具。
【請求項３】
前記第１空冷ファンは第１開口に取着され、
前記第２空冷ファンは第３又は第３開口に取着されている
請求項１に記載の照明器具。
【請求項４】
前記第１空冷ファンが動作を停止しているとき、前記第１開口から前記筐体内部に進入した空気は、前記第２空冷ファンにより前記第３開口から前記筐体外部へ排出され、
前記第２空冷ファンが動作を停止しているとき、前記第１開口から前記筐体内部に進入した空気は、前記第１空冷ファンにより前記第２開口から前記筐体外部へ排出される
請求項２に記載の照明器具。
【請求項５】
前記筐体は、天板、底板、側板を有し、
前記第１開口は、前記天板に開設され、
前記底板には、前記第１開口と平面視において重なる位置に第４開口が開設され、
前記第４開口には、前記第１ヒートシンクの基部が挿着され、
前記発光モジュールは、前記発光素子を下方に向けた状態で前記ヒートシンクの基部下面上の前記第４開口内に存し、
前記第１開口から前記筐体内部に進入した空気は、前記ヒートシンクの基部の前記発光モジュール上方に位置する領域に当たる
請求項２に記載の照明器具。
【請求項６】
前記放熱フィンは、平面視において前記第１開口を囲繞する領域に存する
請求項５に記載の照明器具。
【請求項７】
前記第１のヒートシンクは、前記第１の発光モジュールを囲繞するように、前記基部から下方に向けて周設されたカバー部を有し、
前記第１空冷ファンにより前記第２開口を通って前記筐体の外部へ排出される排気、又は、前記第２空冷ファンにより前記第３開口を通って前記筐体の外部へ排出される排気の何れかは、前記カバーに当たる
請求項５又は６の何れかに記載の照明装置。
【請求項８】
前記ヒートシンクを第１ヒートシンク、前記放熱フィンを第１放熱フィン、前記発光素子を第１発光素子、前記発光モジュールを第１発光モジュールとしたとき、
さらに、前記筐体に接合された基部と当該基部から前記筐体内部に突設した第２放熱フィンを有する第２ヒートシンクと、
前記第２ヒートシンクの基部に熱結合され前記筐体外方に向けて光を発する第２発光素子を有する第２発光モジュールと、
を備え、
前記筐体には、前記第２ヒートシンクの第２放熱フィン近傍であって、前記第２放熱フィンを挟んだ前記第２及び第３開口の反対側には第５開口が開設されている
請求項２に記載の照明器具。
【請求項９】
前記第１空冷ファンが動作を停止しているとき、前記第５開口から前記筐体内部に進入した空気は、前記第２空冷ファンにより前記第３開口から前記筐体外部へ排出され、
前記第２空冷ファンが停止しているとき、前記第５開口から前記筐体内部に進入した空気は、前記第１空冷ファンにより前記第２開口から前記筐体外部へ排出される
請求項８に記載の照明器具。
【請求項１０】
前記筐体は、天板、底板、側板を有し、
前記第１及び第５開口は、前記天板に存し、
前記底板には、前記第１開口と平面視において重なる位置に第４開口が開設され、前記第５開口と平面視において重なる位置に第６開口が開設され、
前記第４開口には前記第１ヒートシンクの基部が、前記第６開口には前記第２ヒートシンクの基部が各々挿着され、
前記第１発光モジュールは、前記第１発光素子を下方に向けた状態で前記第１ヒートシンクの基部下面上の前記第４開口内に存し、前記第１開口から前記筐体内部に進入した空気は、前記第１ヒートシンクの基部の前記第１発光モジュール上方に位置する領域に当たり、
前記第２発光モジュールは、前記第２発光素子を下方に向けた状態で前記第２ヒートシンクの基部下面上の前記第６開口内に存し、前記第５開口から前記筐体内部に進入した空気は、前記第２ヒートシンクの基部の前記第２発光モジュール上方に位置する領域に当たる
請求項８に記載の照明器具。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等の発光素子を利用した照明器具に関する。特に、発光素子を有する光源部が複数の空冷ファンにより冷却される放熱構造を有する照明器具に関する。
【背景技術】
【０００２】
近年、省エネルギーの観点から、白熱電球に代替する光源として、発光素子の一つであるＬＥＤを光源として利用する照明器具が提案されている。例えば、ＬＥＤを利用した照明器具の一例として、光源部と、光源部を保持する器具本体と、光源部で発生する熱を放熱する放熱部と、放熱部を冷却する空冷ファンとを備えた照明器具が開示されている（特許文献１）。この照明器具では、空冷ファンから吹き出された気流が放熱部を直接冷却するために優れた冷却性能を有する。
【０００３】
そして、このような照明器具においては、空冷ファンの信頼性を向上させることが求められていることが特許文献１に記載されている。
【先行技術文献】
【特許文献】
【０００４】
【特許文献１】特開２０１２−２２６９６０号公報
【発明の概要】
【発明が解決しようとする課題】
【０００５】
しかしながら、高輝度・高出力用の照明器具では、通常、光源部を複数器具内に収容して輝度を高める構成を採る。この場合、空冷ファンが１台でも故障すると特定の光源については冷却性能が著しく低下するために照明器具自体の故障率が高まってしまう傾向がある。これに対し、照明器具の故障率を低めるためには、空冷ファンに求められる信頼性をより一層高める必要があり、設計上の大きな課題であった。
【０００６】
本発明は、上記の事情に鑑みなされたものであり、発光素子を有する光源部が複数の空冷ファンにより冷却される放熱構造を有する照明器具において、照明器具の信頼性を向上することを目的とする。
【課題を解決するための手段】
【０００７】
上記目的を達成するため、本発明の一態様である照明器具は、筐体と、第１空冷ファン及び第２空冷ファンと、前記筐体に接合された基部と当該基部から前記筐体内部に突設した放熱フィンを有するヒートシンクと、前記ヒートシンクの基部に熱結合され前記筐体外方に向けて光を発する発光素子を有する発光モジュールとを備え、前記筐体には、前記ヒートシンクの放熱フィン近傍に第１開口が開設と、前記放熱フィンを挟んだ前記第1開口の反対側には第２開口と第３開口とが各々開設されており、前記第１空冷ファン及び前記第２空冷ファンは、前記第１開口、第２開口及び第３開口から選択される２つの開口に、吹き出し方向を前記筐体外方へ向けて各々取着されていることを特徴とする。
照明器具。
【０００８】
また、別の態様では、前記第１空冷ファンは第２開口に取着され、前記第２空冷ファンは第３開口に取着されている構成であってもよい。
請求項１に記載の照明器具。
また、別の態様では、前記第１空冷ファンは第１開口に取着され、前記第２空冷ファンは第３又は第３開口に取着されている構成であってもよい。
【０００９】
また、別の態様では、前記第１空冷ファンが動作を停止しているとき、前記第１開口から前記筐体内部に進入した空気は、前記第２空冷ファンにより前記第３開口から前記筐体外部へ排出され、前記第２空冷ファンが動作を停止しているとき、前記第１開口から前記筐体内部に進入した空気は、前記第１空冷ファンにより前記第２開口から前記筐体外部へ排出される構成であってもよい。
【００１０】
また、別の態様では、前記筐体は、天板、底板、側板を有し、前記第１開口は、前記天板に開設され、前記底板には、前記第１開口と平面視において重なる位置に第４開口が開設され、前記第４開口には、前記第１ヒートシンクの基部が挿着され、前記発光モジュールは、前記発光素子を下方に向けた状態で前記ヒートシンクの基部下面上の前記第４開口内に存し、前記第１開口から前記筐体内部に進入した空気は、前記ヒートシンクの基部の前記発光モジュール上方に位置する領域に当たる構成であってもよい。
【００１１】
また、別の態様では、前記放熱フィンは、平面視において前記第１開口を囲繞する領域に存する構成であってもよい。
また、別の態様では、前記第１又は第２空冷ファンが動作しているとき、前記筐体の内部の圧力は外部の圧力よりも低い構成であってもよい。
また、別の態様では、前記第１のヒートシンクは前記第１の発光モジュールを囲繞するように、前記基部から下方に向けて周設されたカバー部を有し、前記第１空冷ファンにより前記第２開口を通って前記筐体の外部へ排出される排気、又は、前記第２空冷ファンにより前記第３開口を通って前記筐体の外部へ排出される排気の何れかは、前記カバーに当たる構成であってもよい。
【００１２】
また、別の態様では、前記ヒートシンクを第１ヒートシンク、前記放熱フィンを第１放熱フィン、前記発光素子を第１発光素子、前記発光モジュールを第１発光モジュールとしたとき、さらに、前記筐体に接合された基部と当該基部から前記筐体内部に突設した第２放熱フィンを有する第２ヒートシンクと、前記第２ヒートシンクの基部に熱結合され前記筐体外方に向けて光を発する第２発光素子を有する第２発光モジュールとを備え、前記筐体には、前記第２ヒートシンクの第２放熱フィン近傍であって、前記第２放熱フィンを挟んだ前記第２及び第３開口の反対側には第５開口が開設されている構成であってもよい。
【００１３】
また、別の態様では、前記第１空冷ファンが動作を停止しているとき、前記第５開口から前記筐体内部に進入した空気は、前記第２空冷ファンにより前記第３開口から前記筐体外部へ排出され、前記第２空冷ファンが停止しているとき、前記第５開口から前記筐体内部に進入した空気は、前記第１空冷ファンにより前記第２開口から前記筐体外部へ排出される構成であってもよい。
【００１４】
また、別の態様では、前記筐体は、天板、底板、側板を有し、前記第１及び第５開口は、前記天板に存し、前記底板には、前記第１開口と平面視において重なる位置に第４開口が開設され、前記第５開口と平面視において重なる位置に第６開口が開設され、前記第４開口には前記第１ヒートシンクの基部が、前記第６開口には前記第２ヒートシンクの基部が各々挿着され、前記第１発光モジュールは、前記第１発光素子を下方に向けた状態で前記第１ヒートシンクの基部下面上の前記第４開口内に存し、前記第１開口から前記筐体内部に進入した空気は、前記第１ヒートシンクの基部の前記第１発光モジュール上方に位置する領域に当たり、前記第２発光モジュールは、前記第２発光素子を下方に向けた状態で前記第２ヒートシンクの基部下面上の前記第６開口内に存し、前記第５開口から前記筐体内部に進入した空気は、前記第２ヒートシンクの基部の前記第２発光モジュール上方に位置する領域に当たる構成であってもよい。
【００１５】
また、別の態様では、  前記第１放熱フィンは、平面視において前記第１開口を囲繞する領域に存し、前記第２放熱フィンは、平面視において前記第５開口を囲繞する領域に存する構成であってもよい。
また、別の態様では、前記第２及び第３開口は、前記底板に開設されており、第１空冷ファンは、前記第２開口と平面視において重なる位置に存し、第２空冷ファンは、前記第３開口と平面視において重なる位置に存する構成であってもよい。
【００１６】
また、別の態様では、前記底板、前記第２、第３、第４、及び第６開口は、円形状であり、前記第２及び第３開口の中心は前記底板の中心を中心とする１の仮想円の円弧上にあり、前記第４及び第６開口の中心は前記底板の中心を中心とする他の仮想円の円弧上にある構成であってもよい。
また、別の態様では、前記第１及び第２ヒートシンクは熱伝導性部材により熱的に結合されている構成であってもよい。
【００１７】
また、別の態様では、前記第２開口には前記第１ファンの動作時に開き停止時に閉じる第１蓋が配設され、前記第３開口には前記第２ファンの動作時に開き停止時に閉じる第２蓋が配設されている構成であってもよい。
【発明の効果】
【００１８】
本発明の一態様である照明器具によれば、発光素子を有する光源部が複数の空冷ファンにより冷却される放熱構造を有する照明器具において、一部の空冷ファンが故障しても器具全体の運転に支障がない冗長運転を実現できる。そのため、照明器具の信頼性を向上することができる。
【図面の簡単な説明】
【００１９】
【図１】実施の形態にかかる照明器具１を斜め下方より見た斜視図である。
【図２】実施の形態にかかる照明器具１を斜め上方より見た斜視図である。
【図３】実施の形態にかかる照明器具１を、上部筐体を取り外した状態にて斜め上方より見た斜視図である。
【図４】実施の形態にかかる照明器具１の分解斜視図である。
【図５】実施の形態にかかる照明器具１の光源ユニット１００の斜視断面図である。
【図６】、実施の形態にかかる照明器具１に係る発光モジュール２０を示す図であって、（ａ）は平面図、（ｂ）は正面図、（ｃ）は右側面図である。
【図７】実施の形態にかかる照明器具１の空冷ファン４０の軸受の内部構造を示す断面図である。
【図８】実施の形態にかかる照明器具１を、上部筐体を取り外した状態における平面図である。
【図９】実施の形態にかかる照明器具１を図２及び図３に示す断面Ａ−Ａで切った断面図であって、（ａ）は全体断面図、（ｂ）は（ａ）におけるＤ部の拡大断面図である。
【図１０】実施の形態にかかる照明器具１を図２及び図３に示す断面Ａ−Ａで切った斜視断面図である。
【図１１】実施の形態にかかる照明器具１の筐体１０内の空気の流れを示概略図であって、（ａ）は全ての空冷ファン４０が正常に動作している状態、（ｂ）は一部の空冷ファンが停止した状態である。
【図１２】変形例１にかかる照明器具の部分側断面図であって、（ａ）は空冷ファン４０付近の側断面図、（ｂ）はヒートシンク３０の側断面図である。
【図１３】変形例２にかかる照明器具の平面図であって、（ａ）は上部筐体１１を取り外した状態、（ｂ）は、空冷ファン４１が故障により動作を停止した状態である。
【図１４】変形例３にかかる照明器具の空冷ファンの概略図であって、（ａ）は蓋部が閉じた状態、（ｂ）は蓋部が開いた状態を示す。
【発明を実施するための形態】
【００２０】
≪実施の形態≫
以下、本発明の一態様にかかる照明器具を、図面を参照しながら説明する。
＜概略構成＞
図１は、実施の形態にかかる照明器具１を斜め下方より見た斜視図であって、図中矢印Ｙで示す前方向に光が出射される。図２は、照明器具１を斜め上方より見た斜視図である。図３は、照明器具１を、上部筐体を取り外した状態にて斜め上方より見た斜視図である。図４は、照明器具１の分解斜視図である。各図に座標軸を示す。そして、本明細書において上方とはＺ軸正方向を下方とはＺ軸負方向をさす。
【００２１】
図１に示すように、照明器具１は、筐体１０を構成する上部筐体１１と下部筐体１２、光源ユニット１０１、１０２、１０３、および空冷ファン４１、４２、４３を備える。各光源ユニットは各々照明装置を構成する。そして、さらに、各光源ユニット１０１、１０２、１０３に電力を供給する回路ユニット（不図示）を備える。各光源ユニット１０１、１０２、１０３は、ヒートシンク３１、３２、３３、および発光モジュール２１、２２、２３を備える。尚、以後、複数ある各光源ユニット、各空冷ファンを区別しない場合には、光源ユニット１００、空冷ファン４０と表記する。同様に、複数ある各ヒートシンク、各発光モジュールを区別しない場合には、ヒートシンク３０、発光モジュール２０と表記する。
【００２２】
照明器具１の外観は、主に上部筐体１１と下部筐体１２で構成され、その外観形状は円盤状である。
この照明器具１は、図２に示すように造営材である天井の下面側からビス１１４を用いて装着され、照明器具１から下方に光が出射される。
照明器具１から出射される全光束は、各光源ユニット１００毎に１００Ｗ、全体で白熱電球３００Ｗに相当する光束以上であることが好ましい。すなわち、照明器具１から出射される全光束は、１５００ルーメン（ｌｍ）以上であることが好ましい。
【００２３】
＜各部構成＞
（光源ユニット）
図５は、照明器具１の光源ユニット１００の斜視断面図である。尚、以降において、各光源ユニットにおいて共通する部材および部分の名称については、光源ユニットの番号（１、２、３）を示すｘを付して表記する。上述のとおり、各光源ユニット１００は、ヒートシンク３０および発光モジュール２０を各々備える。
【００２４】
[発光モジュール]
図５に示すように、発光モジュール２０は、基板２ｘ１に発光部２ｘ２が設けられた構成を有する。そして、発光部２ｘ２の発光素子２ｘ２ａに電力を供給する配線２ｘ３が基板２ｘ１に接続されている。
図６は、本発明の一態様に係る発光モジュール２０を示す図であって、（ａ）は平面図、（ｂ）は正面図、（ｃ）は右側面図である。図２（ａ）に示すように、発光モジュール２０は、基板２ｘ１、発光素子２ｘ２ａ、封止部材２ｘ２ｂ、一対の端子部２ｘ４、配線２ｘ３を備える。発光素子２ｘ２ａ、および封止部材２ｘ２ｂは発光部２ｘ２を構成する。なお、発光素子２ｘ２ａ、および封止部材２ｘ２ｂは、単数でもよいし、複数でもよい。
【００２５】
基板２ｘ１は、例えば、略方形板状であって、セラミック基板や熱伝導樹脂等からなる絶縁層とアルミ板等からなる金属層との２層構造を有する。基板２ｘ１の上面には複数の発光素子２ｘ２ａが実装されている。
複数の発光素子２ｘ２ａは、例えば、１８個の発光素子２ｘ２ａで構成される直線状の素子列を、６条平行に並べるようにして配置されている。各発光素子２ｘ２ａは、例えば、ピーク波長が４５０ｎｍ以上４７０ｎｍ以下の青色光を出射するＬＥＤであって、基板２ｘ１の上面にＣＯＢ（Ｃｈｉｐ  ｏｎ  Ｂｏａｒｄ）技術を用いてフェイスアップ実装されている。なお、本発明に係る発光素子は、ピーク波長が４５０ｎｍ以上４７０ｎｍ以下の青色光を出射するＬＥＤに限定されず、それ以外の波長の青色光を出射するＬＥＤであってもよいし、青色以外の色の可視光または紫外光を出射するＬＥＤであってもよい。また、本発明に係る発光素子は、ＬＥＤに限定されず、例えば、ＬＤ（レーザダイオード）や、ＥＬ素子（エレクトリックルミネッセンス素子）であってもよい。
【００２６】
各封止部材２ｘ２ｂは、例えば、透光性材料で形成されており、発光素子２ｘ２ａを素子列ごと別々に封止している。透光性材料としては、例えばシリコーン樹脂、エポキシ樹脂、フッソ樹脂、シリコーン・エポキシのハイブリッド樹脂、ユリア樹脂等が挙げられる。各封止部材２ｘ２ｂは、例えば、長尺状の外観形状を有し、図６（ａ）および（ｂ）からわかるように長手方向両端部が略四半球形であって、図６（ｃ）からわかるように長手方向と直交する仮想面で切断した断面の形状が略半楕円形である。なお、封止部材２ｘ２ｂの形状は長尺状に限定されず任意である。
【００２７】
各封止部材２ｘ２ｂは、透光性材料に波長変換材料が含まれており、波長変換部材として機能する。波長変換材料としては、例えば蛍光体が挙げられる。蛍光体は、例えば、発光素子２ｘ２ａの青色光を、ピーク波長が５３５ｎｍ以上５５５ｎｍ以下の緑色光に波長変換する。この場合、発光モジュール２０からは、未変換の青色光と変換後の緑色光との混色による白色光が得られる。なお、ピーク波長が５３５ｎｍ以上５５５ｎｍ以下の光に波長変換する蛍光体としては、サイアロン構造を有する酸窒化物蛍光体、酸窒化物蛍光体、硫化物蛍光体、シリケート系蛍光体、および、それら蛍光体のうちの２種類以上を混合した混合物などが挙げられる。
【００２８】
一対の端子部２ｘ４は、基板２ｘ１に形成された導体パターンの一部であって、図６（ａ）に示すように、基板２ｘ１の上面における周縁部に形成され、リード線２ｘ３が端子部２ｘ４に電気的に接続されている。リード線２ｘ３の先端にはコネクタ２ｘ３ａが装着されている。
[ヒートシンク]
図５に示すように、ヒートシンク３０は、略円形板状の基部３ｘ１と、基部３ｘ１の上面３ｘ１ａに立設された複数の放熱フィン３ｘ２とを有し、発光モジュール２０から基部３ｘ１を介して伝わる熱を大気中に放出する役割を果たす。
【００２９】
基部３ｘ１の下面３ｘ１ｂには、発光モジュール２０の基板２ｘ１が、例えば、高熱伝導性の接着剤等により基部３ｘ１に接着され、基板２ｘ１と基部３ｘ１とが熱的に結合するように構成されている。
放熱フィン３ｘ２は、基部３ｘ１の上面３ｘ１ａのうち、中央領域３ｘ１ｃをドーナツ状に囲繞する囲繞領域３ｘ１ｄに複数枚の放熱板が放射状に立設され、基部３ｘ１の中央領域３ｘ１ｃ上方は放熱フィン３ｘ２が存しない通気路３ｘ１ｅをなす。また、基部３ｘ１の上面３ｘ１ａの中央領域３ｘ１ｃには、円錐状の凸部３ｘ１ｆが形成されている。図５に示すように、この中央領域３ｘ１ｃは、基部３ｘ１における発光モジュール２０の基板２ｘ１と平面視において重なる領域に位置する。また、図２に示すように、中央領域３ｘ１ｃは、後述する上部筐体１１の天板１１１に開設された吸気孔１１１ａ１、１１１ａ２、１１１ａ３（以後、区別を要しないときは１１１ａｘと表記する）とも平面視において重なるように配置される。放熱フィン３ｘ２は、基部３ｘ１の上面３ｘ１ａのうち囲繞領域３ｘ１ｄに複数枚の放熱板が放射状に立設され、放熱板は筐体１０の天板１１１内面近くまで伸びている。このように、放熱フィン３ｘ２は、吸気孔１１１ａｘを平面視において取り囲むように、放熱フィン３ｘ２の一部が吸気孔１１１ａｘの近傍に位置するよう配置されている。
【００３０】
図５に示すように、ヒートシンク３０は、基部３ｘ１の下面３ｘ１ｂ外周に基部３ｘ１から下方に向けて周設されたカバー部３ｘ３を有する。このカバー部３ｘ３の外周が、後述する下部筐体１２の底板１２１に開設された取付孔１２１ｂ１、１２１ｂ２、１２１ｂ３（以後、区別を要しないときは１２１ｂｘと表記する）に嵌挿されることにより、光源ユニット１００が筐体１０に固定される。さらに、カバー部３ｘ３は発光モジュール２０が発する光を下方に向けて反射する役割を果たす。
【００３１】
基部３ｘ１の囲繞領域３ｘ１ｄには、発光モジュール２０から引き出した配線２ｘ３を通し上方に引き出すための穴３ｘ１ｇが開設されている。
（空冷ファン）
空冷ファン４０は、複数枚の羽根から構成される回転羽を有する。空冷ファン４０は、所謂軸流タイプのファンであって、モータ（不図示）の回転子の回転に従い、回転子の軸方向から空気を吸い込み、軸方向に送風する。空冷ファン４０は、吹き出し方向を下方に向けた状態で、後述する下部筐体１２の底板１２１に開設された排気孔１２１ａ１、１２１ａ２、１２１ａ３（以後、区別を要しないときは１２１ａｘと表記する）と平面視において重なる位置に存するように底板１２１に取り付けられ、筐体１０内の空気を下方に向けて筐体１０外に排気する役割を果たす。尚、複数の空冷ファン４０において共通する部材および部分の名称については、空冷ファン４０の番号（１、２、３）を示すｘを付して表記する。
【００３２】
空冷ファン４０は、ビス４１３、４２３、４３３によって下部筐体１２の底板１２１に固定される。空冷ファン４０には、モータを駆動する電力を供給するためのリード線４ｘ１が電気的に接続されている。リード線４ｘ１の先端にはコネクタ４ｘ１ａが装着されている。
図７は、照明器具１の空冷ファン４０の軸受の内部構造を示す断面図である。図７に示すように、端部がフランジ形状をした回転羽の軸４ｘ１の下端が軸受４ｘ２のハウジング４ｘ２ａに収容され、シール４ｘ２ｂにより封止されている。軸受４ｘ２は焼結含油軸受でありハウジング４ｘ２ａは焼結金属、合成樹脂等の多孔質材料に潤滑油を含浸して形成されている。軸流タイプの空冷ファン４０では、吹き出し方向を下方に向けた場合に、図７に示すような姿勢となる。このように、シール４ｘ２ｂが上方に位置するために、潤滑油がシール４ｘ２ｂとハウジング４ｘ２ａとの接合部から漏れることがない。そのため、吹き出し方向を下方に向けた状態で動作させることにより、空冷ファン４０の寿命が向上する。空冷ファン４０では、軸受部には潤滑油が使用されており、使用温度が低いほど長寿命になる。そのため、空冷ファン４０を低温で使用することによりＬＥＤ光源と同等の寿命を確保することができる。
【００３３】
（筐体）
図４に示すように、筐体１０は、上部筐体１１と下部筐体１２とから構成され、円盤状の下部筐体１２の外周部に円盤状の上部筐体１１の外周端が接続され、ビス１１６により両者が固定されて、内部に空間を有する筐体構造を形成している。本実施の形態では、上部筐体１１は、金属によりプレス加工により形成される構成とした。しかしながら、成型により樹脂材料を用いて形成するようにしてもよい。
【００３４】
[上部筐体]
上部筐体１１は、円盤状の天板１１１の外周縁から下方に向けて、天板１１１を囲繞する位置に側板１１２が形成されている。そして、側板１１２の下端には、下部筐体１２と接合するための複数の穴１１２ｂを有するフランジ状のツバ部１１２ａが形成されている。天板１１１と側板１１２とは、金属プレス加工により一体的に形成されていてもよい。または、天板１１１と側板１１２とを、別々に形成した後に接着剤等により接合する構成でもよい。
【００３５】
上部筐体１１の天板１１１には、吸気孔１１１ａｘが３箇所形成されている。この吸気孔１１１ａｘは、後述する下部筐体１２の底板１２１に開設された光源ユニット１００用の取付孔１２１ｂｘと同心に配置されている。そのため、照明器具１として組立てたときに、吸気孔１１１ａｘと光源ユニット１００の中央領域３ｘ１ａとが平面視において重なるような位置関係に構成されている。上述のとおり、放熱フィン３ｘ２は、基部３ｘ１の上面３ｘ１ａのうち、囲繞領域３ｘ１ｄに複数枚の放熱板が放射状に立設され、放熱板は筐体１０の天板１１１内面近くまで伸びている。平面視方向においては、放熱フィン３ｘ２は、吸気孔１１１ａｘを取り囲むように位置する。そのため、吸気孔１１１ａｘは、放熱フィン３ｘ２の近傍に位置するよう開設されている。
【００３６】
天板１１１の上面には、取付部材１１３がビス１１５により固定されている。この取付部材１１３を、造営材である天井に下側からビス１１４を用いて固定することにより、照明器具１は、下方に光を出射するように装着される。
[下部筐体]
下部筐体１２は、円盤状の底板１２１の外周縁から下方に向けて、底板１２１を囲繞する位置に囲壁１２２が形成されている。そして、底板１２１の外周縁近傍には、上部筐体１１と接合するためのビス１１６をネジ止めする複数のビス穴１２１ｃを有する。底板１２１と囲壁１２２とは、金属プレス加工により一体的に形成されていてもよい。または、底板１２１と囲壁１２２とを、別々に形成した後に接着剤等により接合する構成でもよい。
【００３７】
下部筐体１２の底板１２１には、光源ユニット１００用の取付孔１２１ｂｘが３箇所形成されている。この取付孔１２１ｂｘは、上部筐体１１の天板１１１に形成された吸気孔１１１ａｘと同心に配置されている。
下部筐体１２の底板１２１には、排気孔１２１ａｘが３箇所形成されている。各排気孔１２１ａｘの周囲には、空冷ファン４０を取り付けるための複数のビス穴が形成されており、各排気孔１２１ａｘには、空冷ファン４０が吹き出し方向を下方に向けた状態で取り付けられる。
【００３８】
図８は、照明器具１を、上部筐体を取り外した状態における平面図である。図８に示すように、各排気孔１２１ａｘは、下部筐体１２の底板１２１上における各ヒートシンク３０の間の領域に開設されている。また、何れのヒートシンク３０についても、各ヒートシンク３０から見て各々２個の排気孔１２１ａｘがヒートシンク３０外周と近接するような位置に配置されている。
【００３９】
すなわち、下部筐体１２の底板１２１を平面視したとき、各ヒートシンク３０の放熱フィン３ｘ２を挟んで吸気孔１１１ａｘの反対側には１の空冷ファン４０が取着された各排気孔１２１ａｘが開設され、また、放熱フィン３ｘ２を挟んで吸気孔１１１ａｘの反対側には他の空冷ファン４０が取着された他の排気孔１２１ａｘが開設されている。
また、図８に示すように、底板１２１、取付孔１２１ｂｘ、排気孔１２１ａｘは円形状であり、排気孔１２１ａｘの中心は底板１２１の中心を中心とする任意の第１の仮想円Ｂの円弧上にある。他方、取付孔１２１ｂｘの中心は、同じく底板１２１の中心を中心とする他の任意の第２の仮想円Ｃの円弧上にある。
【００４０】
本実施の形態では、サイズの小さい排気孔１２１ａｘ中心が配置される第１の仮想円Ｂの直径が、サイズの大きい取付孔１２１ｂｘ中心が配置される第２の仮想円Ｃの直径よりも大きい構成とした。このように、取付孔１２１ｂｘと排気孔１２１ａｘとを、異なる大きさの仮想円の仮想円弧上に配置することにより、両孔を効率よく底板１２１内に配置することができ、筐体１０の小型化に資することができる。
【００４１】
なお、取付孔１２１ｂｘのサイズが排気孔１２１ａｘのサイズよりも小さい場合には、第２の仮想円Ｃの直径が、第１の仮想円の直径Ｂよりも大きい構成としてもよい。また、取付孔１２１ｂｘのサイズと排気孔１２１ａｘのサイズが同じである場合には、第１の仮想円の直径Ｂと第２の仮想円の直径Ｃとを同じ構成としてもよい。
[筐体の内部構造について]
上述のとおり、上部筐体１１と下部筐体１２とは、外周縁において接合されおり筐体１内部に空間１３を形成している。この内部空間には、外部への開口とし複数の吸気孔１１１ａｘ、および複数の排気孔１２１ａｘが開設されている。
【００４２】
図９は、照明器具１を図２及び図３に示す断面Ａ−Ａで切った断面図であって、（ａ）は全体断面図、（ｂ）は（ａ）におけるＤ部の拡大断面図である。図９（ａ）及び（ｂ）は、光源ユニット１０１及び空冷ファン４２の平面視方向における各々の円中心を通る断面を示し、Ｄ部は、光源ユニット１０１の部分の拡大断面図である。なお、両図においては取付部材１１３の図示を省略している。
【００４３】
図９（ａ）に示すように、上部筐体１１の天板１１１には、吸気孔１１１ａ１が形成されている。この吸気孔１１１ａ１は、下部筐体１２の底板１２１に開設された光源ユニット１００用の取付孔１２１ｂ１の直上に配置されている。そして、取付孔１２１ｂ１に光源ユニット１０１のヒートシンク３１の基部３１１が嵌挿されている。そのため、吸気孔１１１ａ１と光源ユニット１０１の中央領域３１１ｃが平面視において重なるような位置関係に構成されている。なお、取付孔１２１ｂ１内周に周壁３１３外周が嵌合される構成としてもよい。
【００４４】
また、下部筐体１２の底板１２１には、排気孔１２１ａｘが形成され、空冷ファン４０が吹き出し方向を下方に向けた状態で取り付けられる。空冷ファン４０は、排気孔１２１ａｘと平面視において重なる位置に存する。
（回路ユニット）
回路ユニット（不図示）は、各光源ユニット１００を点灯させ、各空冷ファン４０を駆動するためのものであって、各光源ユニット１００および各空冷ファン４０と電気的に接続される配線６１を有する。配線６１の先端には各光源ユニット１００からのリード線２ｘ３のコネクタ２ｘ３ａおよび各空冷ファン４０からのリード線４ｘ１のコネクタ４ｘ１ａと着脱自在に接続されるコネクタ６２が取り付けられている。
【００４５】
回路ユニットは、外部の商用交流電源（不図示）から入力される電流を発光モジュール２０および空冷ファン４０に供給する電源回路と、当該電源回路が収容された回路ケースとを備える。照明器具１では、光源ユニット１００と回路ユニットとが別々にユニット化されており、回路ケースは、天井面又は天井面に開設された取付穴（不図示）に配設されている。
【００４６】
なお、本発明に係る照明器具は、回路ユニットに相当する回路が光源ユニット１００に内蔵された構成であってもよい。
＜点灯時における熱および空気の流れ＞
（全ての空冷ファンが正常に動作している状態）
点灯時における熱の流れおよび空気の流れについて説明する。
【００４７】
上述のとおり、上部筐体１１の天板１１１の吸気孔１１１ａｘと光源ユニット１００の中央領域３ｘ１ｃが平面視において重なるような位置関係に構成されている。このため、吸気孔１１１ａｘから筐体１０内部に進入した空気は、通気路３ｘ１ｅを通り、基部３ｘ１における発光モジュール２０貼り付け領域の裏面側に当接し、その後、凸部３ｘ１ｆにより半径方向に向きを変え、放熱フィン３ｘ２を構成する放熱板どうしの間隙を放射状に流出するよう構成されている。
【００４８】
光源ユニット１０１を例に説明する。図９（ｂ）に示すように、吸気孔１１１ａ１から筐体１０内部に進入した空気は、通気路３１１ｅを通り、ヒートシンク３１の基部３１１における発光モジュール２１の配置領域の裏面側に当接する。この発光モジュール２１の配置領域の裏面側は、ヒートシンク３１の中でも、発光モジュール２１からの伝熱により最も高温になる部分である。そのため、この部分に、吸気孔１１１ａ１から筐体１０内部に導入した空気を直接当てることにより効果的に発光モジュール２１の発熱を放熱させることができる。
【００４９】
発光モジュール２１の配置領域の裏面側に当接した空気は、その後、ヒートシンク３１の基部３１１上の円錐状凸部３１１ｆにより半径方向に向きを変え、放熱フィン３１２を構成する放熱板どうしの間隙を放射状に流出する。
このとき、放熱フィン３１２を構成する放熱板どうしの間隙は、基部３１１に対して垂直方向に等しく形成されている。このため、中央領域３１１ｃから放射状に流出した空気が円滑に通過することができ、効率よく空気と熱交換をすることができる。これにより、効果的に発光モジュール２１の発熱を放熱させることができる。
【００５０】
図１０は、照明器具１を図２及び図３に示す断面Ａ−Ａで切った斜視断面図である。筐体１０内の空気の流れを示す。ヒートシンク３１の基部３１１上の中央領域３１１ｃから周辺領域３１１ｄにある放熱板どうしの間隙を通り放射状に流出した空気は、筐体１０内の空間１３内を流通する。そして、複数の空冷ファン４０により、下部筐体１２の底板１２１の排気孔１２１ａｘを通り下方に向けて筐体１０外に強制排気される。
【００５１】
このとき、筐体１０の内部の空間１３内の圧力は筐体１０の外部の圧力よりも低い状態となっている。空冷ファン４０の吹き出し方向を筐体１０外方に向けたことにより、各吸気孔１１１ａｘから空冷ファン４０までの間の抵抗により筐体１０の内部の空間１３内が負圧となるためである。
図１１は、照明器具１の筐体１０内の空気の流れを示す概略図である。照明器具１から上部筐体１１を取り外した状態における平面図であって、（ａ）は全ての空冷ファン４０が正常に動作している状態、（ｂ）は一部の空冷ファンが停止した状態である。空間１３内の空気の流れの量を矢印の太さで示す。
【００５２】
図１１（ａ）に示すように、吸気孔１１１ａ１からヒートシンク３１の通気路３１１ｅ、放熱フィン３１２を通って空間１３に流出した空気は、全ての排気孔１２１ａ１、１２１ａ２、１２１ａ３から排出される。このとき、各排気孔１２１ａｘから排気される空気の量は、ヒートシンク３１からの距離が近い方が多くなる。
ヒートシンク３１では、排気孔１２１ａ１、１２１ａ３は排気孔１２１ａ２よりもヒートシンク３１からの距離が短い。そのため、吸気孔１１１ａ１からヒートシンク３１の通気路３１１ｅ、放熱フィン３１２を通って空間１３に流出した空気は、排気孔１２１ａ１、１２１ａ３付近の方が排気孔１２１ａ２付近よりも流れの圧力が強い。そのため、排気孔１２１ａ１、１２１ａ３から排出される空気の量が、排気孔１２１ａ２から排出される空気の量よりも多くなる。
【００５３】
同様に、吸気孔１１１ａ２からヒートシンク３２の通気路３２１ｅ、放熱フィン３２２を通って空間１３に流出した空気では、排気孔１２１ａ１、１２１ａ２から排出される空気の量が、排気孔１２１ａ３から排出される空気の量よりも多くなる。
さらに、吸気孔１１１ａ３からヒートシンク３３の通気路３３１ｅ、放熱フィン３３２を通って空間１３に流出した空気では、排気孔１２１ａ２、１２１ａ３から排出される空気の量が、排気孔１２１ａ１から排出される空気の量よりも多くなる。
【００５４】
このように、各吸気孔１１１ａｘから筐体１０内部へ導入された空気は、各排気孔１２１ａｘから筐体１０外へ排出される。各排気孔１２１ａｘから排出される空気の量は、各吸気孔１１１ａｘと各排気孔１２１ａｘとの距離が短いほど多くなる。
（一部の空冷ファンが動作を停止している状態）
図１１（ｂ）は、空冷ファン４１が、例えば故障により動作が停止した状態を示す。空冷ファン４１の動作が停止しているので、空冷ファン４１の動作により排気孔１２１ａ１から筐体１０外へ空気を排出することはできない。したがって、各通気孔１１１ａｘから筐体１０内へ導入された空気は、排気孔１２１ａ２、１２１ａ３から主に排出される。
【００５５】
例えば、図１１（ｂ）に示すように、吸気孔１１１ａ１からヒートシンク３１の通気路３１１ｅ、放熱フィン３１２を通って空間１３に流出した空気は、排気孔１２１ａ２、１２１ａ３から排出される。このとき、排気孔１２１ａ３は、排気孔１２１ａ２よりもヒートシンク３１からの距離が短いために、流れの圧力が強く、排気孔１２１ａ３から排出される空気の量が、排気孔１２１ａ２から排出される空気の量よりも多くなる。
【００５６】
同様に、吸気孔１１１ａ２からヒートシンク３２の通気路３２１ｅ、放熱フィン３２２を通って空間１３に流出した空気では、排気孔１２１ａ２から排出される空気の量が、排気孔１２１ａ３から排出される空気の量よりも多くなる。
さらに、吸気孔１１１ａ３からヒートシンク３３の通気路３３１ｅ、放熱フィン３３２を通って空間１３に流出した空気では、排気孔１２１ａ２、１２１ａ３から排出される空気の量は等価となる。
【００５７】
このように、各吸気孔１１１ａｘから筐体１０内部へ導入された空気は、正常に動作している２個の空冷ファン近傍の排気孔から筐体１０外へ排出される。各吸気孔１１１ａｘと各排気孔１２１ａｘとの距離が短いほど各吸気孔１１１ａｘから各排気孔１２１ａｘまでの間の抵抗は小さく各排気孔１２１ａｘから排出される空気の量は多くなる。
空冷ファン４２、４３の各流量は、全ての空冷ファン４０が正常に動作している図９（ａ）の状態と等価である。したがって、筐体１０外へ排出することができる空気の総量は、図９（ａ）の状態と比較して２／３に減少し、各ヒートシンク３０の放熱量は減少するので、各ヒートシンク３０の温度は上昇する。しかしながら、本実施形態では、一部の空冷ファン４０が動作を停止したことによって、何れかの光源ユニット１００が異常加熱して故障に至り、照明器具１としての故障に至ることを防止することができる。
【００５８】
本実施形態の比較例として、各光源ユニットに吸気孔、排気孔および空冷ファンを設け、各光源ユニット間の吸気孔と排気孔とが連通していない構成を想定してみる。例えば、本実施の形態を例にし、さらに筐体１０内部の空間１３を各光源ユニット１００とその周囲に開設された各排気孔１２１ａｘ毎に区切る仕切り壁を空間１３に備えた構成を想定する。この場合には、一部の空冷ファンが故障により動作が停止した場合には、故障した空冷ファン４０が取着された吸気孔１２１ａｘと空間１３における同一区切り内の存する光源ユニット１００には、冷却するための空気をほとんど供給することができない。そのため、光源ユニット１００が異常加熱して故障に至るおそれがあり、その結果、照明器具１としての故障に至ることとなる。すなわち、一部の空冷ファンの故障が照明器具としての故障に直結する。この場合、照明器具の故障率は、各ファンの故障率の総和となるために、照明器具の故障率を低く抑えるためには、各空冷ファンの故障率を低く維持することが必要となる。空冷ファンが１台でも故障すると特定の光源については冷却性能が著しく低下するために照明器具自体の故障率が高まってしまう傾向があり、そのため、照明器具の故障率を低めるためには、空冷ファンに求められる信頼性をより一層高める必要があった。例えば、照明器具の故障率を１％以下とするためには、各ファンの故障率を１／３％以下とすることが必要となる。
【００５９】
これに対し、本実施の形態の照明器具１では、一部の空冷ファンが故障しても照明器具としての故障には至らない、所謂、冗長運転が可能となる。本実施の形態では、１個の空冷ファン４０が故障しても照明器具１は正常に運転を継続する。各光源ユニット１００の温度は上昇するものの正常に動作を継続することが可能となる。そして、２個目の空冷ファン４０が故障したときに照明器具１の故障と判断し動作を停止する、又は光源ユニットの発光輝度を低下する構成とした。この場合、照明器具の故障率は、各ファンの故障率の総和とはならず、例えば、各ファンの故障率を１％以下としたとき照明器具の故障率は０．３％以下となり、照明器具の故障率を低減することができる。
【００６０】
＜効果＞
以上、説明したとおり本実施の形態では、発光素子２ｘ２ａを有する光源ユニット１００が複数の空冷ファン４０により冷却される放熱構造を有する照明器具１において、一部の空冷ファン４０が故障しても器具全体の運転に支障がない冗長運転を実現できる。そのため、照明器具１の信頼性を向上することができる。
【００６１】
＜変形例１＞
実施の形態では、光源ユニット１００のヒートシンク３０は、基部３ｘ１の下面３ｘ１ｂ外周に基部３ｘ１から下方に向けて周設されたカバー部３ｘ３を有し、カバー部３ｘ３は発光モジュール２０が発する光を下方に向けて反射する役割を果たす構成とした。しかしながら、カバー部３ｘ３の機能は反射部材としての機能に限定されるものでなく、その構成は適宜変更してもよい。例えば、カバー部３ｘ３を筐体１０内からの排気が直接当たるような位置に配置することにより、カバー部３ｘ３を放熱部材として機能させる構成してもよい。
【００６２】
図１２は、変形例１にかかる照明器具の部分側断面図であって、（ａ）は空冷ファン４０付近の側断面図、（ｂ）はヒートシンク３０の側断面図である。
図１２（ａ）は、カバー部３ｘ３を空冷ファン４２からの排気が直接当たるような位置に配置して、光源ユニット１０１の放熱部材として機能させるよう構成した例である。カバー部３ｘ３の外縁を空冷ファン４２の直近又は下方まで延出するように配置することにより実現可能となる。または、空冷ファン４２からの排気がカバー部３ｘ３に当たるように排気の風向を調整する構成を採ってもよい。
【００６３】
図２１（ｂ）は、吸気孔１１１ａｘから筐体１０内部に進入し放熱フィン３ｘ２を構成する放熱板どうしの間隙を放射状に流出する空気がカバー部３ｘ３の外周上下方に流れるように流路を構成した例である。例えば、下部筐体１２の底板１２１におけるカバー部３ｘ３の外周縁付近に開口を設けることにより、基部３１１の上面３１１ａ上を放射状に流出する空気を下方に向けて流すことができる。
【００６４】
これにより、カバー部３ｘ３を放熱部材として機能させ、ヒートシンク３０の放熱性を向上することができ、空冷ファン４０の温度低下を図り、照明器具の信頼性を向上することができる。
＜変形例２＞
実施の形態では、各ヒートシンク３０は、各々別個に、下部筐体１２の底板１２１に開設された取付孔は１２１ｂｘに嵌挿されており熱的に独立した構成とした。しかしながら、これに限定されるものでなく適宜変更してもよい。例えば、各ヒートシンク３０をヒートパイプ等の高熱伝導部材で接続し、各ヒートシンク３０が熱的に結合するように構成してもよい。
【００６５】
図１３は、変形例２にかかる照明器具の平面図であって、（ａ）は上部筐体１１を取り外した状態、（ｂ）は、空冷ファン４１が故障により動作を停止した状態である。図１３に示すように、変形例２では、ヒートシンク３１と３２とがヒートパイプ５１により、ヒートシンク３２と３３とがヒートパイプ５２により、ヒートシンク３１と３３とがヒートパイプ５３により、各々接続されている。ヒートパイプ５１、５２、５３（以後、区別を要しないときはヒートパイプ５０と表記する）は、各ヒートシンク３０の放熱フィン３ｘ２の放熱板の間隙に、放熱板とヒートパイプ５０とが接触するように埋め込まれている。放熱フィン３ｘ２は発光モジュール２０から熱伝導の経路となっている。その経路上にヒートパイプ５０が接触しているため、発光モジュール２０で発生した熱を効率よくヒートパイプ５０に伝導させることができる。ヒートパイプ５０は放熱板の上端から下端まで全体に亘って存在しているため、熱を効率よくヒートシンク５０に伝導させることができる。なお、ヒートパイプ５０以外の伝熱体により効率よく熱を伝導させる構成であってもよい。
【００６６】
図１２（ｂ）は、空冷ファン４１が故障により動作を停止した状態である。空冷ファン４１の動作が停止しているので、空冷ファン４１により排気孔１２１ａ１から筐体１０外へ空気を排出することはできない。各吸気孔１１１ａｘから筐体１０内部へ導入された空気は、主に正常に動作している２個の空冷ファン近傍の排気孔から筐体１０外へ排出される。
【００６７】
具体的には、図１２（ｂ）に示すように、吸気孔１１１ａ１からヒートシンク３１の通気路３１１ｅ、放熱フィン３１２を通って空間１３に流出した空気は、排気孔１２１ａ２、１２１ａ３から排出される。このとき、排気孔１２１ａ３は、排気孔１２１ａ２よりもヒートシンク３１からの距離が短いために、排気孔１２１ａ３から排出される空気の量が、排気孔１２１ａ２から排出される空気の量よりも多くなる。同様に、吸気孔１１１ａ２からヒートシンク３２の通気路３２１ｅ、放熱フィン３２２を通って空間１３に流出した空気では、排気孔１２１ａ２から排出される空気の量が、排気孔１２１ａ３から排出される空気の量よりも多くなる。さらに、吸気孔１１１ａ３からヒートシンク３３の通気路３３１ｅ、放熱フィン３３２を通って空間１３に流出した空気では、排気孔１２１ａ２、１２１ａ３から排出される空気の量は等価となる。
【００６８】
このように、ヒートシンク３１および３２は、ヒートシンク３３に比べて、各々のヒートシンクに近接する利用可能な排気孔の数が少ない。そのため、ヒートシンクに近接する利用可能な排気孔までの距離の総和が長くなるために、ヒートシンク３１および３２から排出される空気の量が、ヒートシンク３３から排出される空気の量よりも少なくなる。したがって、空冷ファン４１が故障により動作を停止した直後には、ヒートシンク３１および３２の温度は、ヒートシンク３３の温度よりも高くなる（図１２（ｂ）左図）。
【００６９】
しかしながら、ヒートシンク３０間をヒートパイプ５０により、熱的に結合させることで、温度が上がったヒートシンク３１および３２から、温度が低いヒートシンク３３へ熱を輸送することができる。これにより、各ヒートシンク３０間の温度の偏りを減少させることができる（図１２（ｂ）右図）。
その結果、各光源ユニット１００間の発光素子２ｘ２ａの寿命、および各光源ユニット１００間の光束のバラツキを減少することができる。光源ユニットの加熱を防止し照明器具の信頼性を向上することができる。
【００７０】
＜変形例３＞
実施の形態では、下部筐体１２の底板１２１に開設された排気孔１２１ａｘには、吹き出し方向を下方に向けた状態で、空冷ファン４０が取り付けられ、筐体１０内の空気を下方に向けて筐体１０外に排気する構成とした。しかしながら、排気孔１２１ａｘは、これに限定されるものでなく変更可能である。例えば、空冷ファン４０の動作に連動して開閉する蓋部材を備えた構成してもよい。すなわち、各排気孔１２１ａｘには取着された空冷ファン４０の動作時に開き停止時に閉じる蓋が配設されている。
【００７１】
図１４は、変形例３にかかる照明器具の空冷ファンの概略図であって、（ａ）は蓋部が閉じた状態、（ｂ）は蓋部が開いた状態を示す。下部筐体１２の底板１２１に開設された排気孔１２１ａｘの近傍にヒンジ４１２、４２２、４３２があり、空冷ファン４０の動作に連動して動作中に開き停止中に閉じる蓋部材４１１、４２１、４３１が取り付けられている。例えば、開閉動作は、ヒンジ４１２、４２２、４３２にバネ等を設け、風を受けた蓋部材４１１、４２１、４３１が、受動的にヒンジ４１２、４２２、４３２の周りを回動するようにしてもよい。このような、蓋部材４１１、４２１、４３１を備えることにより、空冷ファン４０が動作を停止しているときに、筐体１０内部に熱せられた排気が逆流することを防止できる。これにより、筐体１０内の温度上昇を防止し照明器具の信頼性を向上することができる。
【００７２】
＜変形例４＞
上記の実施の形態では、照明器具１は、下部筐体１２の底板１２１には、排気孔１２１ａｘが形成され、空冷ファン４０は排気孔１２１ａｘと平面視において重なる位置に配置されている場合を例に示した。しかしながら、空冷ファン４０の配置は、一部の空冷ファンが故障しても器具全体の運転に支障がない冗長運転が可能な配置であればよく適宜変更することができる。
【００７３】
変形例４では、例えば、実施の形態における照明器具１において、各光源ユニット１００における通気路３ｘ１ｅ内に、空気を筐体１０外に排出するための空冷ファン（吹き出しタイプ）を設け、照明器具１における各吸気孔１１１ａｘを排気用開口として機能させるよう構成してもよい。さらに、変形例４では、照明器具１における各排気孔１２１ａｘには、空冷ファンを設けず、各排気孔１２１ａｘを吸気用開口として機能させる。
【００７４】
この場合には、一部の空冷ファン４０が故障により動作が停止した場合には、故障した空冷ファンの存する光源ユニットにおいては上記排気用開口から空冷ファンにより空気を排出することができない。しかしながら、筐体１０内部の空間１３内の空気は、正常に動作している他の空冷ファン４０（他の光源ユニット４０の通気路３ｘ１ｅ内に存する）近傍の上記排気用開口から筐体１０外へ排出される。そのとき、上述のとおり筐体１０の内部の空間１３内の圧力は筐体１０の外部の圧力よりも低い状態となっている。そのため、故障した空冷ファンの存する光源ユニットにおいては上記排気用開口から逆に空気が流入する。そして、流入した空気は、光源ユニット１００における通気路３ｘ１ｅを平面視において取り囲むように配置された放熱フィン３ｘ２を構成する放熱板どうしの間隙を放射状に流出する。その際、空冷ファン４０が故障により動作が停止した光源ユニット１００において発光モジュール２１の発熱を放熱フィン３ｘ２から効果的に放熱される。そして、空冷ファン４０が故障により動作が停止した光源ユニット１００から流出した空気は、その後、他の光源ユニット４０の通気路３ｘ１ｅ内に入り、正常に動作している他の空冷ファン４０により近傍の排気用開口から筐体１０外へ排出される。
【００７５】
これにより、変形例４においては、一部の空冷ファン４０が故障しても器具全体の運転に支障がない冗長運転を実現でき、照明器具１の信頼性を向上することができる。
＜その他の変形例＞
なお、上記の実施の形態に基づいて説明してきたが、本発明は上記の実施の形態に限定されないことはもちろんである。以下のような場合も本発明に含まれる。なお、既に説明した部材と同じ部材が使用されている場合は、その部材と同じ符号を付して説明を簡略若しくは省略している。
【００７６】
（１）上記の実施の形態では、吸気孔１１１ａｘが上部筐体１１の天板１１１に、３箇所形成されており、吸気孔１１１ａｘが、下部筐体１２の底板１２１に開設された光源ユニット１００用の取付孔１２１ｂｘと同心に配置されている場合を示した。しかしながら、吸気孔１１１ａｘの位置、個数、取付孔１２１ｂｘとの位置関係は必ずしもこの場合に限定されず、筐体１０における上部筐体１１天板１１１以外の部分に設けてもよい。吸気孔１１１ａｘは、ヒートシンクの放熱フィン近傍に開設され、かつ放熱フィンを挟んだ吸気孔１１１ａｘの反対側には排気孔１２１ａｘが開設される位置であればよく、例えば、上部筐体１１の側板１１２上、または、下部筐体１２に設けてもよい。また、個数は１以上であればよく、２又は４以上であってもよい。
【００７７】
（２）上記の実施の形態では、排気孔１２１ａｘは、下部筐体１２の底板１２１に３箇所形成されている場合を示した。しかしながら、排気孔１２１ａｘの位置、個数、取付孔１２１ｂｘとの位置関係は必ずしもこの場合に限定されず、筐体１０における下部筐体１２の底板１２１以外の部分に設けてもよい。排気孔１２１ａｘは、放熱フィンを挟んだ吸気孔１１１ａｘの反対側の位置に開設されていれよく、例えば、上部筐体１１の側板１１２上、または、上部筐体１１の天板１１１等に設けてもよい。また、個数は２以上であればよく、４又は５以上であってもよい。
【００７８】
（３）上記の実施の形態では、放熱フィン３ｘ２は、ヒートシンク３０の基部３ｘ１の上面３ｘ１ａのうち、中央領域３ｘ１ｃをドーナツ状に囲繞する囲繞領域３ｘ１ｄに複数枚の放熱板が放射状に立設されて形成されている場合を示した。しかしながら、放熱フィン３ｘ２の位置、形状、個数、吸気孔１１１ａｘ、排気孔１２１ａｘとの位置関係は必ずしもこの場合に限定されず、上記以外の構成であってもよい。放熱フィン３ｘ２は、吸気孔１１１ａｘ近傍に開設され、かつ放熱フィンを挟んだ吸気孔１１１ａｘの反対側には排気孔１２１ａｘが開設される位置であればよく、例えば、基部３ｘ１の上面３ｘ１ａ全面に複数枚の放熱板が放射状又は直線状に立設されていてもよい。
【００７９】
（４）上記の実施の形態では、照明器具１は、筐体１０内に３個の光源ユニット１０１、１０２、１０３、および３個の空冷ファン４１、４２、４３を備えている場合を示した。しかしながら、光源ユニットおよび空冷ファンの個数は、必ずしもこの場合に限定されず、上記以外の構成であってもよい。光源ユニットおよび空冷ファンの個数は、一部の空冷ファンが故障しても器具全体の運転に支障がない冗長運転を実現できる構成であればよく、適宜変更可能である。例えば、光源ユニットの個数は１以上であればよく、２又は４以上であってもよい。また、空冷ファンの個数は２以上であればよく、４又は５以上であってもよい。
【００８０】
（５）上記の実施の形態では、筐体１０は、上部筐体１１と下部筐体１２とから構成され、円盤状の下部筐体１２の外周部に円盤状の上部筐体１１の外周端が接続され、ビス１１６により両者が固定されている場合を示した。しかしながら、筐体の構成は必ずしも上記構成に限定されず、内部に空間を有する筐体構造を形成することができるものであればよく、形状、構造、材質、製法、寸法等は適宜変更可能である。例えば、外形形状は、矩形の平面形状をした箱体であってもよい。また、金属プレス、樹脂成型その他、何れの製法により形成したものであってもよい。
【００８１】
（６）ヒートシンクに近接する位置に、温度検知素子を設けてもよい。所定の温度以上になった場合に、点灯の動作を制限したり停止させたりして、照明器具としての安全性を高めることができる。
（７）上記の実施の形態では、空冷ファン４０が、所謂軸流タイプのファンである場合を示したが、本発明は必ずしもこの場合に限定されない。空冷ファンは、空気流を発生させることができるものであればよく、例えば、所謂遠心タイプのファンであってもよい。
【００８２】
（８）上記の実施の形態では、光源として、ＬＥＤ素子をＣＯＢ技術を用いてフェイスアップ実装した発光モジュールを採用したが、本発明は必ずしもこの場合に限定されない。発光モジュールは、ＣＯＢ技術を用いてフェイスアップ実装されたものに限定されず、例えばＳＭＤ（Ｓｕｒｆａｃｅ  Ｍｏｕｎｔ  Ｄｅｖｉｃｅ）型のものが基板に搭載されていてもよい。例えば、円形板状の基板の上面に、ＳＭＤ型の光源が複数マトリクス状に配置されている構成でもよい。また、光源として、無機ＥＬ素子や有機ＥＬ素子、ＬＤ（Ｌａｓｅｒ  Ｄｉｏｄｅ）、発光トランジスタ（Ｌｉｇｈｔ  Ｅｍｉｔｔｉｎｇ  Ｔｒａｎｓｉｓｔｏｒ）などを採用してもよい。
【００８３】
（９）上記の実施の形態では、上記実施の形態では、発光モジュールが照明装置の一部として照明器具に組み込まれていたが、発光モジュールは、照明装置の一部としてではなく、それ単体として照明装置を介さずに、照明器具に直接組み込まれていてもよい。
（１０）上述の実施の形態および各変形例を、部分的に組み合せてもよい。
（その他）
以上、本発明の構成を、上記実施の形態および変形例に基づいて説明したが、本発明は上記実施の形態およびその変形例に限られない。例えば、上記実施の形態およびその変形例の部分的な構成を、適宜組み合わせてなる構成であってもよい。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。本発明は、照明用途全般に広く利用可能である。
【００８４】
≪まとめ≫
本実施の形態に係る、照明器具は、筐体１０と、第１空冷ファン４１及び第２空冷ファン４３と、筐体１０に接合された基部３１１と当該基部から筐体１０内部に突設した放熱フィン３１２を有するヒートシンク３１と、ヒートシンク３１の基部３１１に熱結合され筐体１０外方に向けて光を発する発光素子２１２ａを有する発光モジュール２１とを備え、筐体１０には、ヒートシンク３１の放熱フィン３１２近傍に第１開口１１１ａ１が開設と、放熱フィン３１２を挟んだ第1開口１１１ａ１の反対側には第２開口１２１ａ１と第３開口１２１ａ３とが各々開設されており、第１空冷ファン４１及び第２空冷ファン４３は、第１開口１１１ａ１、第２開口１２１ａ１及び第３開口１２１ａ３から選択される２つの開口に、吹き出し方向を筐体１０外方へ向けて各々取着されていることを特徴とする。
【００８５】
また、別の態様では、筐体１０には、ヒートシンク３１の放熱フィン３１２近傍に第１開口１１１ａ１が開設され、かつ放熱フィン３１２を挟んだ第1開口１１１ａ１の反対側には、第１空冷ファン４１が取着された第２開口１２１ａ１と第２空冷ファン４３が取着された第３開口１２１ａ３とが各々開設されており、第１空冷ファン４１及び第２空冷ファン４３は吹き出し方向を前記筐体外方へ向けている構成であってもよい。
【００８６】
また、別の態様では、さらに、筐体１０に接合された基部３２１と当該基部３２１から筐体１０内部に突設した第２放熱フィン３２２を有する第２ヒートシンク３２と、第２ヒートシンク３２の基部３２１に熱結合され筐体１０外方に向けて光を発する第２発光素子２２２ａを有する第２発光モジュール２２とを備え、筐体１０には、第２ヒートシンク３２の第２放熱フィン３２２近傍であって、第２放熱フィン３２２を挟んだ第２開口１２１ａ１及び第３開口１２１ａ３の反対側には第５開口１１１ａ２が開設されていてもよい。
【００８７】
係る構成によって、一部の空冷ファン４１又は４３が故障しても器具全体の運転に支障がない冗長運転を実現できる。そのため、照明器具１の信頼性を向上することができる。
また、別の態様では、照明器具は、筐体１０と、第１空冷ファン４１及び第２空冷ファン４２と、筐体１０に接合された基部３２１と当該基部から筐体１０内部に突設した放熱フィン３２２を有するヒートシンク３２と、ヒートシンク３２の基部３２１に熱結合され筐体１０外方に向けて光を発する発光素子２２２ａを有する発光モジュール２２とを備え、筐体１０には、ヒートシンク３２の放熱フィン３２２近傍に第１開口１１１ａ２が開設され、かつ放熱フィン３２２を挟んだ第1開口１１１ａ２の反対側には、第１空冷ファン４１が取着された第２開口１２１ａ１と第２空冷ファン４２が取着された第３開口１２１ａ２とが各々開設されており、第１空冷ファン４１及び第２空冷ファン４２は吹き出し方向を前記筐体外方へ向けていることを特徴とする。
【００８８】
また、別の態様では、さらに、筐体１０に接合された基部３３１と当該基部３３１から筐体１０内部に突設した第２放熱フィン３３２を有する第２ヒートシンク３３と、第２ヒートシンク３３の基部３３１に熱結合され筐体１０外方に向けて光を発する第２発光素子２３２ａを有する第２発光モジュール２３とを備え、筐体１０には、第２ヒートシンク３３の第２放熱フィン３３２近傍であって、第２放熱フィン３３２を挟んだ第２開口１２１ａ１及び第３開口１２１ａ２の反対側には第５開口１１１ａ３が開設されていてもよい。
【００８９】
係る構成によって、一部の空冷ファン４１又は４２が故障しても器具全体の運転に支障がない冗長運転を実現できる。そのため、照明器具１の信頼性を向上することができる。
また、別の態様では、照明器具は、筐体１０と、第１空冷ファン４２及び第２空冷ファン４３と、筐体１０に接合された基部３３１と当該基部から筐体１０内部に突設した放熱フィン３３２を有するヒートシンク３３と、ヒートシンク３３の基部３３１に熱結合され筐体１０外方に向けて光を発する発光素子２３２ａを有する発光モジュール２３とを備え、筐体１０には、ヒートシンク３３の放熱フィン３３２近傍に第１開口１１１ａ３が開設され、かつ放熱フィン３３２を挟んだ第1開口１１１ａ３の反対側には、第１空冷ファン４２が取着された第２開口１２１ａ２と第２空冷ファン４３が取着された第３開口１２１ａ３とが各々開設されており、第１空冷ファン４２及び第２空冷ファン４３は吹き出し方向を前記筐体外方へ向けていることを特徴とする。
【００９０】
また、別の態様では、さらに、筐体１０に接合された基部３１１と当該基部３１１から筐体１０内部に突設した第２放熱フィン３１２を有する第２ヒートシンク３１と、第２ヒートシンク３１の基部３１１に熱結合され筐体１０外方に向けて光を発する第２発光素子２１２ａを有する第２発光モジュール２１とを備え、筐体１０には、第２ヒートシンク３１の第２放熱フィン３１２近傍であって、第２放熱フィン３１２を挟んだ第２開口１２１ａ２及び第３開口１２１ａ３の反対側には第５開口１１１ａ１が開設されていてもよい。
【００９１】
係る構成によって、一部の空冷ファン４２又は４３が故障しても器具全体の運転に支障がない冗長運転を実現できる。そのため、照明器具１の信頼性を向上することができる。
【符号の説明】
【００９２】
１    照明器具
１０    筐体
１１    上部筐体
１１１  天板
１１１ａｘ（１１１ａ１、１１１ａ２、１１１ａ３）  吸気孔（第１開口又は第５開口）
１１２  側板
１１３  固定部材
１２  下部筐体
１２１  底板
１２１ａｘ（１２１ａ１、１２１ａ２、１２１ａ３）  排気孔（第２開口又は第３開口）
１２１ｂｘ（１２１ｂ１、１２１ｂ２、１２１ｂ３）  取付孔（第４開口又は第６開口）
１２２  囲壁
２０（２１、２２、２３）    発光モジュール
２ｘ１（２１１、２２１、２３１）  基板
２ｘ２（２１２、２２２、２３２）  発光部
２ｘ２ａ（２１２ａ、２２２ａ、２３２ａ）  発光素子
２ｘ２ｂ（２１２ｂ、２２２ｂ、２３２ｂ）  封止部材
３０（３１、３２、３３）  ヒートシンク
３ｘ１（３１１、３２１、３３１）  基部
３ｘ２（３１２、３２２、３３２）  放熱フィン
３ｘ３（３１３、３２３、３３３）  カバー
４０（４１、４２、４３）  空冷ファン
１００（１０１、１０２、１０３）  光源ユニット（照明装置）
【図１】
2015065026.tif 000003
【図２】
2015065026.tif 000004
【図３】
2015065026.tif 000005
【図４】
2015065026.tif 000006
【図５】
2015065026.tif 000007
【図６】
2015065026.tif 000008
【図７】
2015065026.tif 000009
【図８】
2015065026.tif 000010
【図９】
2015065026.tif 000011
【図１０】
2015065026.tif 000012
【図１１】
2015065026.tif 000013
【図１２】
2015065026.tif 000014
【図１３】
2015065026.tif 000015
【図１４】
2015065026.tif 000016